(57)【特許請求の範囲】
【請求項１】
画面を表示する表示手段を有し、電力取引の状況を各種の図に纏めて表示する電力情報表示装置であって、
電力取引に関する各種情報が格納されたデータベースと、
前記データベースを更新する更新手段と、
前記データベースに基づいて、前記情報を第１の図式表現で視覚化した第１の画面を生成する第１の画面生成手段と、
前記データベースに基づいて、前記情報を第２の図式表現で視覚化した第２の画面を生成する第２の画面生成手段と、
前記第１の画面の構造を模し、且つ前記更新手段によって生じた前記第１の画面上の更新箇所に相当する位置を識別する識別標識を有する概略図を生成する小画面生成手段と、
前記第２の画面上に前記概略図を重ねて前記表示手段に表示させる表示制御手段と、
を備え、
前記表示手段は、複数備えられ、
前記表示制御手段は、
第１の表示手段に前記第２の画面と前記概略図を表示させるとともに、第２の表示手段に前記第１の画面を表示させ、
前記第１及び第２の表示手段に表示される前記第１の画面と前記第２の画面上の変更箇所同士を結んだ線分を、前記第１の表示手段のスクリーンへ投影して得られる、その投影線の近傍に前記概略図を重ねること、
を特徴とする電力情報表示装置。
【請求項２】
前記概略図の重ね合わせにより隠される前記第２の画面の情報量と前記投影線からの距離とに基づき重ね合わせ位置を算出する表示位置算出手段を更に備え、
前記表示制御手段は、
前記表示位置算出手段の算出結果に基づき、前記概略図を重ね合わせること、
を特徴とする請求項１記載の電力情報表示装置。
【請求項３】
前記更新手段による前記更新に基づいて危険度情報を算出する判断手段を更に備え、
前記表示制御手段は、前記危険度情報が所定値以上であるときに前記重ね合わせを行うこと、
を特徴とする請求項１又は２に記載の電力情報表示装置。
【請求項４】
前記表示制御手段は、前記第１の画面を閲覧するユーザの識別情報を前記概略図とともに前記第２の画面に重ねて表示させること、
を特徴とする請求項１乃至３の何れかに記載の電力情報表示装置。
【請求項５】
前記小画面生成手段は、
前記更新手段による更新内容を要約した要約情報を前記概略図上に付加すること、
を特徴とする請求項１乃至４の何れかに記載の電力情報表示装置。
【請求項６】
前記小画面生成手段は、
前記第１の画面上の前記更新手段による変更に伴う複数の変更箇所のそれぞれに対して、前記概略図を生成し、
前記表示制御手段は、
前記各概略図を交代させて前記第２の画面上に重ね合わせること、
を特徴とする請求項１乃至５の何れかに記載の電力情報表示装置。
【請求項７】
前記第１の画面上の各変更箇所が示す情報に対する危険度情報を算出する判断手段を更に備え、
前記表示制御手段は、
前記危険度情報が高い順に前記各概略図を交代させて前記第２の画面上に重ね合わせること、
を特徴とする請求項６記載の電力情報表示装置。
【請求項８】
前記表示制御手段は、
前記各変更箇所が隣接する順に対応する前記概略図を交代させて前記第２の画面上に重ね合わせること、
を特徴とする請求項６記載の電力情報表示装置。
【請求項９】
前記第１の画面上の各変更箇所が示す情報に対する危険度情報を算出する判断手段を更に備え、
前記小画面生成手段は、
前記第１の画面上の前記更新手段による変更に伴う複数の変更箇所のそれぞれに対して、前記概略図を生成し、
前記表示制御手段は、
前記危険度情報が高い順に前記各概略図を交代でハイライト表示させて前記全概略図を同時に前記第２の画面上に重ね合わせること、
を特徴とする請求項１乃至５の何れかに記載の電力情報表示装置。
【請求項１０】
前記小画面生成手段は、
前記第１の画面上の前記更新手段による変更に伴う複数の変更箇所のそれぞれに対して、前記概略図を生成し、
前記表示制御手段は、
前記各変更箇所が隣接する順に対応する前記概略図を交代させてハイライト表示させて前記全概略図を同時に前記第２の画面上に重ね合わせること、
を特徴とする請求項１乃至５の何れかに記載の電力情報表示装置。
【請求項１１】
前記第１の画面は、電力取引の拠点及び拠点間を結ぶ線を示した地図であり、
前記第２の画面は、前記拠点間毎のグラフ図であり、
前記概略図は、前記更新手段の変更により電力取引が変化した拠点間の前記線を識別表示した地図であること、
を特徴とする請求項１乃至１０の何れかに記載の電力情報表示装置。
【請求項１２】
前記第１の画面は、電力取引の拠点間毎のグラフ図であり、
前記第２の画面は、電力取引の拠点及び拠点間を結ぶ線を示した地図であり、
前記概略図は、前記電力取引が変化した拠点間のグラフを識別表示したグラフ図であること、
を特徴とする請求項１乃至１０の何れかに記載の電力情報表示装置。
【請求項１３】
前記第１の画面は、前記拠点間毎のグラフ図であり、
前記第２の画面は、拠点又は拠点間の時間変化をグラフ図であり、
前記概略図は、前記電力取引が変化した拠点又は拠点間のグラフを識別表示したグラフ図であること、
を特徴とする請求項１乃至１０の何れかに記載の電力情報表示装置。
【発明の詳細な説明】
【技術分野】
【０００１】
本発明の実施形態は、電力取引を管理するために複数種類の画面を表示する電力情報表示装置に関する。
【背景技術】
【０００２】
電力会社間では、必要な電力を融通しあう電力取引が一般的に行われている。電力会社の拠点を送電線で連結し、一方の電力会社から他方の電力会社へ送電線を介して電力を送電しあうものである。
【０００３】
この電力取引のために、各社の電力取引状況を把握することのできる電力情報表示装置が利用されている。送電線には送電可能最大量が規定されているため、この電力情報表示装置は、運用監視オペレーションセンターに設置され、送電線の空容量の状況等の各種の電力状況を把握する際にも利用される。
【０００４】
電力情報表示装置は、電力取引に関する情報を把握容易のために図に纏め、当該図を画面に表示させている。電力事業者や電力取引の監視者等のユーザは、この図から電力取引に関する情報を読み取って、電力取引や監視に役立てている。
【０００５】
電力情報表示装置は、例えば、電力会社の拠点を示す円図形を送電線を示す線で結んだ地図の画面を生成し、モニタに表示させる。または、送電線の総取引電力量と空容量とを積み上げた棒グラフの画面を生成し、モニタに表示させる。
【０００６】
情報の容易把握のために図示されることは、一般的に行われていることであるが、一の図式表現は、情報のある一側面から見た特色にフォーカスを当てているため、その図式表現からは、把握することのできない情報や、直接的な把握が困難な情報が存在する。
【０００７】
例えば、上記の地図の画面は、各送電線の地理的な位置関係や送電の流れの方向性を直接的に提示することは容易であるが、地図表示の中で定量的なデータ比較を提示することは困難である。具体的には、電力取引の変化に伴う空容量の変化は、地図の画面からは直感的に読み取ることが困難である。
【０００８】
また、上記のグラフの画面は、電力取引の変化に伴う空容量の変化等の定量的なデータ比較を提示することは容易であるが、各送電線の地理的な位置関係や送電の流れの方向性を提示することは困難である。
【先行技術文献】
【特許文献】
【０００９】
【特許文献１】特願２０１０−１４１７２３号
【特許文献２】特開平０９−１６３６０２号公報
【発明の概要】
【発明が解決しようとする課題】
【００１０】
一の図からは必要な情報の全てを得られないという問題を解決するためには、各種の図式表現で情報を纏め、この各種の図を表示するという技術が考えられる。この技術を利用するユーザは、図を切り替えて閲覧し、各種の図に散逸した情報を自ら対応付けし、一の図から足りない情報を他の図により補完するものである。
【００１１】
しかし、このような電力情報表示装置によると、各種の情報を取得することは可能となるが、一方でユーザは、一の図に示される情報を記憶し、他の図に閲覧を切り替え、他の図から情報の補完に必要な箇所を検索し、その必要な情報と記憶した情報とを自ら結びつけるという複数の工程を経て必要な情報を取得する作業が必要となるため、直感的な状況把握が困難であり、作業効率が低下するという問題が生じる。
【００１２】
本発明は、上記のような従来技術の問題点を解決するために提案されたもので、ユーザによる電力取引の直感的な状況把握を容易にし、電力取引やその監視の作業効率を向上させた電力情報表示装置を提供することを目的とする。
【課題を解決するための手段】
【００１３】
本実施形態の電力情報表示装置は、画面を表示する表示手段を有し、電力取引の状況を各種の図に纏めて表示する電力情報表示装置であって、電力取引に関する各種情報が格納されたデータベースと、前記データベースを更新する更新手段と、前記データベースに基づいて、前記情報を第１の図式表現で視覚化した第１の画面を生成する第１の画面生成手段と、前記データベースに基づいて、前記情報を第２の図式表現で視覚化した第２の画面を生成する第２の画面生成手段と、前記第１の画面の構造を模し、且つ前記更新手段によって生じた前記第１の画面上の更新箇所に相当する位置を識別する識別標識を有する概略図を生成する小画面生成手段と、前記第２の画面上に前記概略図を重ねて前記表示手段に表示させる表示制御手段と、を備え、前記表示手段は、複数備えられ、前記表示制御手段は、第１の表示手段に前記第２の画面と前記概略図を表示させるとともに、第２の表示手段に前記第１の画面を表示させ、前記第１及び第２の表示手段に表示される前記第１の画面と前記第２の画面上の変更箇所同士を結んだ線分を、前記第１の表示手段のスクリーンへ投影して得られる、その投影線の近傍に前記概略図を重ねること、を特徴とする。
【図面の簡単な説明】
【００１４】
【図１】電力情報表示装置の詳細構成を示すブロック図である。
【図２】各電力取引案件に関する情報が集約されたテーブルを示す模式図である。
【図３】各送電線に関する情報が集約されたテーブル２ｂを示す模式図である。
【図４】電力情報表示装置の動作を示すフローチャートである。
【図５】メイン画面として地図画面を示す模式図である。
【図６】メイン画面として棒グラフ画面を示す模式図である。
【図７】概略図として地図概略図を示す模式図である。
【図８】概略図として棒グラフ概略図を示す模式図である。
【図９】地図画面上に棒グラフ概略図を重ね合わせた合成画面を示す模式図である。
【図１０】棒グラフ画面上に地図概略図を重ね合わせた合成画面を示す模式図である。
【図１１】表示部の第１の配置態様を示す模式図である。
【図１２】概略図の第１の表示タイミングを示す模式図である。
【図１３】概略図の第２の表示タイミングを示す模式図である。
【図１４】表示部の配置態様の他の例を示す模式図である。
【図１５】表示制御部の詳細構成を示すブロック図である。
【図１６】概略図の重ね合わせ位置の決定方法の他の例を示す概念図である。
【図１７】関係図画面を示す模式図である。
【図１８】第２の棒グラフ画面に関係画面を合成した合成画面を示す模式図である。
【図１９】第３の棒グラフ画面を示す図である。
【図２０】折れ線グラフ画面に棒グラフ概略図を合成した合成画面を示す模式図である。
【発明を実施するための形態】
【００１５】
以下、本発明に係る電力情報表示装置の実施形態について図面を参照しつつ詳細に説明する。
【００１６】
（構成）
図１は、本実施形態に係る電力情報表示装置１の詳細構成を示すブロック図である。電力情報表示装置１は、電力取引に関する画面を表示する装置である。この電力情報表示装置１は、データベース２と、操作卓３と、情報処理装置４と、複数の表示部５、６を備える。情報処理装置４は、データベース２、操作卓３、及び表示部５、６にネットワーク又は信号線を介して信号入出力可能に接続されている。情報処理装置４は、運用監視オペレーションセンターに設置される。ネットワークは、インターネット網、専用回線網、又はＬＡＮ等である。
【００１７】
データベース２、操作卓３、及び情報処理装置４は、所謂コンピュータであり、ＣＰＵやＧＰＵ等の演算処理装置、ＲＡＭやハードディスク等のメモリ、ＨＤＤコントローラ、ＶＲＡＭやＤＡＣやＤＶＩトランスミッタを含むディスプレイコントローラ、及びキーボードコントローラを有し、ハードディスクに記憶されたプログラムに従って計算及び各内部装置の制御を行う。このデータベース２、操作卓３、及び情報処理装置４は、一体又は各組み合わせの２以上のコンピュータから構成されていてもよい。
【００１８】
操作卓３は、ユーザが電力取引の情報を入力する端末である。この操作卓３は、キーボードやマウス等の入力装置を備える。データベース２は、ユーザが入力した電力取引の情報を格納するデータサーバである。表示部５、６は、ユーザが電力取引の状況を監視する液晶ディスプレイやＣＲＴディスプレイ等のスクリーンを備えたモニタである。表示部５、６は、モニタのみならず、表示端末としてコンピュータや入力装置を備えていてもよい。情報処理装置４は、データベース２に格納されている電力取引の情報を表示部５、６に表示させる処理を行う。
【００１９】
この電力情報表示装置１は、電力取引に関する情報を各種の図式表現で視覚化したメイン画面を表示部５及び６に分けて表示する。この電力情報表示装置１は、操作卓３を用いてデータベース２内の情報が更新されると、一方のメイン画面上の更新箇所を通知する小画面を他方のメイン画面上に重ねて表示する。更新箇所は、情報更新が反映された領域である。小画面は、例えばポップアップで表示する。
【００２０】
ユーザは、一方のメイン画面上に表示されている電力取引に関する情報では足りない情報を補完する目的で他方のメイン画面を参照する。このとき、他方のメイン画面の注目位置を小画面の参照により特定する。小画面は、他方のメイン画面の構造を模し、即ち同じ図式表現を有し、しかし電力取引に関する詳細な情報の全てを伴わない概略図である。
【００２１】
このような電力情報表示装置１は、プログラムに従った計算及びハードディスク等の各内部装置の制御により、情報更新部１１、情報取得部１２、更新内容算出部１３、画面生成部１４、小画面生成部１５、表示制御部１６、表示位置算出部１７、及び判断部１８を含み構成される。
【００２２】
情報更新部１１は、データベース管理システムである。情報更新部１１は、操作卓３からの入力を受け、データベース２内の情報を更新し、データベース２の更新を示す信号を情報取得部１２に出力する。更新は、情報の変更、削除、又は追加である。
【００２３】
情報取得部１２は、情報処理装置４側に配され、データベース２からメイン画面の生成に必要な情報を読み出す。情報取得部１２は、情報更新部１１が出力したデータベース２の更新を示す信号の受け取りを契機として情報の読み出しを行う。
【００２４】
具体的には、情報取得部１２は、データベース２側にクエリー／リトリーブ信号を出力し、該当の情報を情報処理装置４側にコピーする。検索する情報、換言するとメイン画面の生成に必要な情報は、予め定められている。取得される情報には、情報更新部１１により更新された情報の更新前後の内容も含む。
【００２５】
尚、情報取得部１２が取得する情報は、予め定められた全情報であってもよいし、情報更新部１１の情報更新後の差分のみであってもよい。差分のみを取得する場合、初期の必要情報は、全て予め読み出して記憶しておく。
【００２６】
更新内容算出部１３は、情報更新部１１の更新により生じた変化を算出する。変化の算出では、情報の変化量と変化の向きを算出する。
【００２７】
画面生成部１４は、第１の画面生成手段及び第２の画面生成手段に相当し、複数のメイン画面のイメージデータを生成する。メイン画面は、データベース２内の情報を視覚化した図である。各メイン画面によって図式表現が異なる。図式表現は、図の種類の他、視覚化する情報の種類によって分類される。図の種類としては、例えば、地図、ツリー構造等の関係図、遷移図、棒グラフ、折れ線グラフ、レーダチャート、円グラフ等の各種の図式が挙げられる。イメージデータには、ラスタデータ又はベクタデータを含む。
【００２８】
この画面生成部１４は、表示部５に表示させる一の図式表現で電力取引に関する情報を視覚化したメイン画面のイメージデータと、表示部６に表示させる他の図式表現で電力取引に関する情報を視覚化したメイン画面のイメージデータをそれぞれ生成する。イメージデータの生成では、情報取得部１２が取得した情報を参照して、図を構成する図形の種類、位置、及び大きさを決定し、メイン画面にレイアウトする。
【００２９】
例えば、画面生成部１４は、表示部５に表示させる地図画面と表示部６に表示させる棒グラフ画面を生成する。棒グラフ画面の生成では、取得した情報の所属及び種類によって棒グラフを構成する矩形の配置位置を決定し、情報が示す値の大きさによって矩形の長さを決定する。
【００３０】
また、画面生成部１４は、メイン画面上に電力取引に関する情報の変化を識別表示させる。識別表示は、情報の更新内容を示す識別標識を情報更新の反映位置へ配置することにより行われる。識別標識は、例えばアニメーション画像である。例えば、画面生成部１４は、更新内容算出部１３が算出した変化量と変化の向きに応じて可変するアニメーション画像を、更新された情報が配置されるメイン画面上の配置位置に付加する。
【００３１】
小画面生成部１５は、情報更新の要約とメイン画面上に存在する情報更新の反映箇所を案内する概略図を生成する。概略図は、メイン画面と同じ図式表現を有し、そのメイン画像の構造のみが反映され、実質的な内容を伴わない画像である。情報更新の要約として、更新された情報の変化要素の一部のみが概略図に反映され、電力取引に関する他の情報は省かれる。この概略図は、画面生成部１４が生成するメイン画面よりも小さく、メイン画面上に重ね合わせたときに、メイン画面内の情報を極力隠蔽しない程度がふさわしい。
【００３２】
小画面生成部１５は、画面生成部１４が生成する各メイン画面に対応させてそれぞれの概略図を生成する。つまり、表示部５に表示させるメイン画面の概略図と表示部６に表示させるメイン画面の概略図を生成する。
【００３３】
概略図には、対応するメイン画面上に存在する情報更新の反映箇所に相当する位置に識別標識を付加する。小画面生成部１５は、更新された情報の所属や種類を参照して識別標識の付加位置を決定する。この付加位置決定プロセスは、画面生成部１４の更新された情報の配置位置決定プロセスと同じである。また、小画面生成部１５は、更新内容算出部１３によって算出された変化量や変化の向き等の変化要素の一部を参照して識別標識の内容を決定する。
【００３４】
表示制御部１６は、一方のメイン画面上に一方の概略図を重ね合わせた合成画像をＶＲＡＭのビットマップ空間に生成し、また他のメイン画面上に他の概略図を重ね合わせた合成画像をＶＲＡＭのビットマップ空間に生成し、一方の合成画像を一方の表示部５に出力し、他方の合成画像を他方の表示部６に出力する。
【００３５】
合成の組み合わせは、異なる図式表現同士である。即ち、表示制御部１６は、一方の図式表現で情報を視覚化したメイン画面に対して、他方の図式表現の概略図を重ね合わせる。例えば、メイン画面が地図画面と棒グラフ画面であれば、地図画面上にグラフ形式の概略図を重ね合わせ、棒グラフ画面上に地図形式の概略図を重ね合わせる。
【００３６】
合成方法としては、メイン画面上の配置領域を完全に覆い隠して概略図を合成するようにしてもよいし、透過度を設定して半透明の状態で概略図を描画するようにしてもよい。透明度は、予め記憶されている値でもよいし、ユーザ若しくは電力情報表示装置１外から入力された値であってもよい。
【００３７】
表示位置算出部１７は、表示制御部１６による概略図の重ね合わせ位置を制御する。表示位置算出部１７は、表示部５及び６に表示されるメイン画面内の変更箇所同士を結んだ線分の算出、その線分を表示部５及び６のスクリーン上に投影した仮想の投影線の算出を経て、その投影線の近傍へ概略図を重ね合わせるように表示制御部１６に指示を出力する。投影線は、表示部５と表示部６のスクリーンの範囲内でその伸び方向にそれぞれ延長される。
【００３８】
この電力情報表示装置１において、電力取引を監視するユーザは、一方のメイン画面上に重ね合わせられている概略図を参照して、予め他方のメイン画面の参照位置を認識し、その他方のメイン画面の参照位置に直接目を移し、両メイン画面に反映されている情報更新の内容を結びつける。
【００３９】
この電力情報表示装置１は、情報更新部１１による情報の更新を契機に概略図を生成してメイン画面に重ね合わせるようにするが、判断部１８を備え、表示制御部１６による重ね合わせのタイミングを制御するようにしてもよく、判断部１８によるタイミング制御については後述する。
【００４０】
（動作）
このような電力情報表示装置１の具体的な動作について図２乃至１１を参照して説明する。具体例として、電力情報表示装置１が地図とグラフで表現された各メイン画面を生成して、表示部５，６に分けて表示させる場合を例にとって説明する。
【００４１】
図２及び図３は、データベース１１に格納されている情報を集約したテーブル２ａ及び１１ｂを示す模式図である。図２は、各電力取引案件に関する情報が集約されたテーブル２ａを示す模式図である。図３は、各送電線に関する情報が集約されたテーブル２ｂを示す模式図である。
【００４２】
データベース１１に格納されている電力取引を管理するための情報には、各電力取引案件に関する情報と各送電線に関する情報とが含まれる。データベース１１内においては、各電力取引案件に関する情報がテーブル２ａに集約され、各送電線に関する情報がテーブル２ｂに集約されている。
【００４３】
図２に示すように、テーブル２ａは、電力取引案件毎の送電の開始拠点、終了拠点、経由する送電線、送電の開始日時、終了日時、取引電力量、新規の取引電力量、及び取引電力量の変更履歴のフィールドを有し、各フィールドの種類に対応した情報を格納している。各電力取引案件は、ＩＤによって識別され、電力取引案件に関する各情報が当該ＩＤで紐付けされている。
【００４４】
また、図３に示すように、テーブル２ｂは、送電線毎の総取引電力量、送電量、最大送電可能量、及び空容量のフィールドを有し、各フィールドの種類に対応した情報を格納している。各送電線は、ＩＤによって識別され、送電線に関する各情報が当該ＩＤで紐付けされている。各送電線には、送電方向が予め定められており、送電量が正となる方向を順方向、送電量が負となる方向を逆方向とされ、総取引電力量、最大送電可能量、空容量のそれぞれは、順方向及び逆方向についての情報を有する。
【００４５】
尚、データベース１１には、送電線に関する情報の他、またはこれに代えて各拠点に関する情報のテーブルを格納可能であり、各拠点における現在必要な電力量や提供可能な電力量等の情報をデータベース１１に格納するようにしてもよい。
【００４６】
図４は、このような電力情報表示装置１の動作を示すフローチャートである。
【００４７】
まず、ステップＳ１０１にて、電力取引に関する情報の更新を行う（Ｓ１０１）。
【００４８】
この処理は、操作卓３を用いた入力信号がデータベース２の情報更新部１１に入力され、情報更新部１１がデータベース管理システムとして実行する。操作卓３により、電力取引案件の新規追加、変更、削除や、各送電線に関する情報の変更などが入力されると、情報更新部１１は、データベース２に格納されているテーブル２ａ又はテーブル２ｂの情報を変更する。テーブル２ａの変更の際には、その変更内容のテーブル２ｂへの反映も行う。
【００４９】
例えば、図２に示すように、「０００００００１」のＩＤで識別された電力取引案件を例に挙げると、２００９年９月２３日１２：００の時点で８０ＭＷの電力量が新規に取引されたため、この時点でテーブル２ａに格納されている情報が新規に追加するとともに、取引電力量のフィールドに８０ＭＷの値を関連づける。更に２００９年１１月９日１５：００の時点で取引電力量が６０ＭＷに変更されたため、テーブル２ａに当該取引の情報を変更履歴に追加するとともに、取引電力量のフィールドの値を６０ＭＷに変更する。更に、２００９年４月１２日８：００の時点で取引電力量が１００ＭＷに変更されたため、テーブル２ａに当該取引の情報を変更履歴に追加するとともに、取引電力量のフィールドの値を１００ＭＷに変更する。
【００５０】
また、「０００００００１」のＩＤで識別された電力取引案件に紐づけられた経由する送電線の情報は、「Ａ→Ｄ」であるため、図３に示すテーブル２ｂの「Ａ」と「Ｄ」のＩＤに紐づけられた総取引電力量の逆方向の値を６０ＭＷから１００ＭＷに相当する４０ＭＷ分増加させ、送電量を４０ＭＷ分減少させ、順方向の空容量を４０ＭＷ増加させるとともに、逆方向の空容量を４０ＭＷ減少させる。
【００５１】
また、図３に示す各送電線に関する情報においても、時期に応じて最大送電可能量が変化するような場合には、操作卓１７からの入力に応じて情報が更新される。さらに、各電力取引案件に関する情報が更新された時には、関連する送電線の総取引電力量や送電量、空容量などといった情報が操作卓１７からの入力に応じて更新される。
【００５２】
次に、ステップＳ１０２にて、情報更新部１１は、Ｓ１０１において情報の更新があったかどうかを判定し、情報の更新があった場合にはＳ１０３に進み、更新がなかった場合にはＳ１０１に戻る。情報更新部１１は、更新があれば、情報更新を示す信号を情報取得部１２へ出力する。Ｓ１０３への処理の移行は、情報更新部１１の情報取得部１２への信号出力を契機としてなされる。
【００５３】
ステップＳ１０３にて、情報取得部１２は、情報の取得を行う。
【００５４】
この処理では、データベース２から予め定められた画面生成に必要な情報を情報処理装置４側へコピーする。具体例において、情報取得部１２は、テーブル２ｂから送電線のＩＤ、順方向及び逆方向の総取引電力量、送電量、及び順方向と逆方向の空容量の更新前後の値、また、テーブル２ａの追加された変更履歴のフィールドの値と、追加前に最新であった変更履歴フィールドの値と、これら変更履歴のフィールドが属するＩＤとを読み出す。
【００５５】
ステップＳ１０４では、更新内容算出部１３は、取得された情報から更新内容を算出する。
【００５６】
具体例では、更新内容算出部１３は、更新前後の総取引電力量や送電量や空容量の変化量と向きを算出する。
【００５７】
例えば、図２に示すテーブル２ａの「０００００００１」のＩＤで識別された電力取引案件に属する変更履歴のフィールドに「２００９年４月１２日８：００の時点で取引電力量が１００ＭＷに変更」を示す情報が新たに追加されていた場合、「Ａ」のＩＤ、「Ａ→Ｄ」である経由する送電線、一つ手前の変更履歴の電力量である「６０ＭＷ」、及び最新の変更履歴の電力量である「１００ＭＷ」を取得する。
【００５８】
そして、更新内容算出部１３は、これら情報から送電線「Ａ」及び「Ｄ」の逆方向の総取引電力量が４０ＭＷ増加し、順方向の空容量が４０ＭＷ増加し、逆方向の空容量が４０ＭＷ減少したことを示す更新内容の情報を算出する。尚、各送電線について順方向及び逆方向は予め決まっており、更新内容算出部１３は、どちらが順方向であるか逆方向であるかの情報を予め記憶している。また、この更新内容の情報の算出は、更新前後のテーブル２ｂを比較して行ってもよい。
【００５９】
次に、ステップＳ１０５にて、画面生成部１４は、第１のメイン画面の生成を行う。
【００６０】
具体例において、画面生成部１４は、第１の面画面として、図５に示す地図画面１４ａの生成を行う。図５に示す地図画面１４ａは、ユーザが電力会社である拠点と拠点間を結ぶ線である送電線の位置関係を把握するための画面である。画面生成部１４は、地図画像と拠点の描画位置と送電線の描画位置を予め記憶しており、地図画像上に拠点を示す円と送電線を示す線を配置する。
【００６１】
地図画面１４ａのイメージデータは、拠点を示す円の大きさ及び配置位置情報と、送電線を示す線の配置位置情報と、背景となる地図画像の指定とを含むベクタデータ、又はそのベクタデータをレンダリングしたラスタデータである。レンダリングは、画像生成部１４により行ってもよいし、表示制御部１６で行ってもよい。
【００６２】
また、画面生成部１４は、更新内容算出部１３が取得した更新内容に合わせて送電量が変化した送電線上に送電量の変化を動きで示すアニメーション画像１４１を地図画面１４ａ上に配置する。アニメーション画像が情報の更新の内容を示す識別標識である。アニメーション画像１４１は、横縞模様の太線であり、太線の色が変更された送電量の方向を示し、横縞模様の変化速度が変化の度合いを示す。
【００６３】
例えば、画面生成部１４は、送電線「Ｊ」について順方向の送電量が＋４０ＭＷとなったことを示す更新内容の情報を更新内容算出部１３から取得したものとする。この場合、画面生成部１４は、図５に示すように、更新内容が順方向を示す色の太線で、且つ＋４０ＭＷに相当する速度で変化する横縞模様のアニメーション画像１５１を送電線「Ｊ」の配設箇所に重ね合わせる。つまり、更新内容が順方向を示す色の太線を有するアニメーション画像の指定と＋４０に相当する速度情報と送電線「Ｊ」の配設箇所を識別する位置情報とを対にして地図画面１４ａのベクタデータに含める。
【００６４】
このアニメーション画像１４１の生成及び付加処理は、送電量が変更された全ての送電線に対して行われる。即ち、変更された電力取引案件に関する情報の電線の情報が「Ａ→Ｄ」であれば、テーブル２ｂの「Ａ」と「Ｄ」のＩＤに紐づけられた送電量が変更されているため、画面生成部１４は、送電線「Ａ」と送電線「Ｄ」に沿ってそれぞれのアニメーション画像を付加する。
【００６５】
このように、画面生成部１４は、送電線の順方向の送電量が大きければ、その方向の流れが速く見えるように送電線上に表示したラインの縞模様をアニメーションさせ、順方向の送電量が小さくなれば、そのアニメーションを遅くさせる。逆方向の送電量が大きければ、逆方向の流れが速く見えるように送電線上に表示したラインの縞模様をアニメーションさせ、逆方向の送電量が小さくなれば、そのアニメーションを遅くさせる。
【００６６】
この地図画面１４ａでは、正確な送電量は示されないが、アニメーション画像１４１によって地理的な位置関係と流れの方向、大まかな送電量の大きさが示されるため、大まかな送電の状況が把握できる。
【００６７】
更に、ステップＳ１０６にて、画面生成部１４は、第２のメイン画面の生成を行う。
【００６８】
具体例において、画面生成部１４は、第２のメイン画面として、図６に示す棒グラフ概略図１５ｂの生成を行う。
【００６９】
図６に示す棒グラフ画面１４ｂは、拠点間毎のグラフであり、ユーザが拠点間の空容量を監視するための画面である。画面生成部１４は、順方向及び逆方向のそれぞれについて空容量と総取引電力量を積み上げた棒グラフを各送電線について横軸に並べた棒グラフ画面１４ｂを生成する。順方向については、原点を通る横軸から正方向にグラフを積み上げ、逆方向については、同一縦軸上に原点を通る横軸から負方向にグラフを積み上げる。
【００７０】
棒グラフ画面１４ｂのイメージデータは、横軸及び縦軸の線の配置位置情報と、長方形の描画とその長さと色及び配置位置の情報とを含んだベクタデータ、又はそのベクタデータをレンダリングしたラスタデータとして生成される。
【００７１】
また、画面生成部１４は、送電量の変化に伴う空容量の変化を示す識別標識として、棒グラフ画面１４ｂ上にアニメーション画像１４２を付加する。この種類のグラフでは、一方向に対する総取引電力量の変化は、その方向の空容量の変化につながり、この空容量の変化は、逆方向の空容量の変化につながる。変化の過程では、積み上げグラフ内において、空容量がピストンのように上下動するように見える。画面生成部１４は、この空容量のピストンの描画位置を変化させるアニメーション画像１４２を棒グラフ画面１４ｂに付加する。
【００７２】
例えば、送電線Ｊの順方向の送電に関する電力取引案件において＋４０ＭＷの変更が追加されたとする。その時、送電線Ｊの上側の積み上げ棒グラフに、＋４０ＭＷの長さの矩形を積み上げる。そして、積み上げた分だけ、順方向の空容量を示す矩形の長さを減少させるとともに、逆方向の空容量を示す矩形の長さを増加させる。画面生成部１４は、この一連のアニメーション画像１４２を棒グラフ画面１４ｂに付加する。
【００７３】
次に、ステップＳ１０７にて、小画面生成部１５は、第１のメイン画面を模した第１の概略図の生成を行う。
【００７４】
具体例において、小画面生成部１５は、第１の概略図として、図７に示す地図概略図１５ａの生成を行う。この図７に示す地図概略図１５ａは、地図画面１４ａ上に存在する情報更新の反映箇所と情報更新の要約を有する概略図であり、地図画面１４ａと図式表現を同じくする。背景となる地図画像は、地図画面１４ａで利用した画像よりも略地図であってよい。
【００７５】
小画面生成部１５は、この略地図画像と送電線の描画位置を予め記憶している。小画面生成部１５は、その略地図上に、各拠点と拠点間を結ぶ送電線を示す線分を引く。更新内容と関係のない送電線を示す線については、線色を薄色とし、又は省略してもよい。
【００７６】
また、小画面生成部１５は、送電量が変化した送電線を識別する識別標識である太線１５１を略地図画像上に付加する。太線１５１は、ハイライト表示された線又はアニメーション線画像である。例えば、更新内容を示す情報が送電線「Ｊ」に関する情報であるものとする。小画面生成部１５は、更新内容算出部１３が算出した更新内容を示す情報に含まれている「Ｊ」のＩＤを取得し、送電線「Ｊ」として配置する線の線色をハイライト色例えば赤色に指定する。
【００７７】
更に、ステップＳ１０８にて、小画面生成部１５は、第２のメイン画面を模した第２の概略図の生成を行う。
【００７８】
具体例において、小画面生成部１５は、第２の概略図として、図８に示す棒グラフ概略図１５ｂの生成を行う。図８に示す棒グラフ概略図１５ｂは、棒グラフ画面１４ｂ上に存在する情報更新の反映箇所と情報更新の要約を有する概略図である。この棒グラフ概略図１５ｂは、棒グラフ画面１４ｂと図式表現を同じくする。小画面生成部１５は、背景となる棒グラフ図の画像を予め記憶している。この棒グラフ図の画像は、棒グラフ画面１４ｂの構成を模した画像であり、棒グラフの数については、棒グラフ画面１４ｂの棒グラフの数と同一数であるが、棒グラフの長さは総取引電力量と空容量を反映しておらず、予め描画された特定の長さである。
【００７９】
小画面生成部１５は、空容量が変化した送電線と空容量の変化方向を識別する識別標識である矢印１５２を棒グラフ図の画像上に付加する。矢印１５２は、ハイライト色の矢印又はアニメーション矢印画像である。例えば、更新内容算出部１３は、空容量の更新内容として、送電線「Ｊ」のＩＤ、及び順方向の空容量の減少量を示す値が紐付けされているものとする。小画面生成部１５は、この更新内容の情報から「Ｊ」のＩＤを取得し、送電線「Ｊ」の棒グラフ領域上にハイライト色例えば赤色の矢印１５２を付加する。矢印１５２の方向は、更新内容算出部１３が算出した順方向の空容量の変化方向に合わせる。即ち、小画面生成部１５は、順方向の空容量が棒グラフ画面１４ｂ内で正の方向に伸びる場合、空容量の更新内容を属性とする値が正であれば、上向き矢印を付加し、負であれば下向き矢印を付加する。
【００８０】
次に、ステップＳ１０９にて、判断部１８は、概略図の表示タイミングを判断する。判断要素が情報の更新のみの場合には、実質的な処理はない。判断要素に他の要素を含める場合については後述する。
【００８１】
また、ステップＳ１１０にて、表示位置算出部１７は、概略図の重ね合わせ位置を算出する。表示制御部１６は、重ね合わせ位置を指示されると、ステップＳ１１１にて、表示制御部１６は、第１のメイン画面上に第２のメイン画面の構造を模した第２の概略図を重ねた合成画像を生成する。また、表示制御部１６は、ステップＳ１１２にて、第２のメイン画面上に第１のメイン画面の構造を模した第１の概略図を重ねた合成画像を生成する。
【００８２】
具体例においては、表示制御部１６は、重ね合わせ位置を指示されると、図９に示す地図画面１４ａ上に棒グラフ概略図１５ｂを重ねた合成画像をＶＲＡＭ内のビットマップ空間に生成する。また、表示制御部１６は、重ね合わせ位置を指示されると、図１０に示す棒グラフ画面１４ｂ上に地図概略図１５ａを重ねた合成画像をＶＲＡＭ内のビットマップ空間に生成する。
【００８３】
重ね合わせる際には、表示制御部１６は、地図画面１４ａ上の情報更新が反映された箇所と棒グラフ概略図１５ｂとを線で結ぶことで対応づける。また、表示制御部１６は、棒グラフ画面１４ｂ上の情報更新が反映された箇所と地図概略図１５ａとを線で結ぶことで対応づける。
【００８４】
概略図の重ね合わせ位置の算出について具体的に説明する。図１１に表示部５と表示部６の配置態様を示す。図１１に示す表示部５は、壁掛け大画面であり、表示部６は、卓上画面である。表示部５のスクリーンと表示部６のスクリーンとは、同一平面上に配置されていないことを前提とし、ユーザは、卓上画面である表示部６の前に着席するものとする。
【００８５】
表示位置算出部１７は、まず重ね合わせ位置の探索を行い、その探索結果に応じた重ね合わせ位置の情報を表示制御部１６に出力する。表示制御部１６は、入力された重ね合わせ位置の情報に該当する位置に概略図を重ね合わせた合成画像を生成する。
【００８６】
表示位置算出部１７は、予め表示部５と表示部６の配置関係を示す空間座標情報を記憶している。この空間座標情報は、この表示部５及び表示部６が配置される空間の空間座標で示され、表示部５と表示部６の各スクリーンの拡がり範囲が空間座標で示されている。
【００８７】
表示位置算出部１７は、地図画面１４ａ上の情報更新による変更箇所Ｃ１を示す表示部５上のスクリーン座標を空間座標情報により空間座標に座標変換する。また、表示位置算出部１７は、棒グラフ画面１４ｂ上の情報更新による変更箇所Ｃ２を示す表示部６上のスクリーン座標を空間座標情報により空間座標に座標変換する。
【００８８】
表示位置算出部１７は、座標変換により得られた両空間座標を結んだ線分を表示部５のスクリーンが拡がる平面に投影して投影線Ｌを求め、その投影線Ｌの空間座標を表示部５のスクリーン座標に座標変換する。
【００８９】
また、表示位置算出部１７は、座標変換により得られた両空間座標を結んだ線分を表示部６のスクリーンが拡がる平面に投影して投影線Ｌを求め、その投影線Ｌの空間座標を表示部６のスクリーン座標に座標変換する。
【００９０】
投影線が求まると、表示位置算出部１７は、この投影線Ｌの近傍であって概略図を重ねたときにメイン画面に表示されている情報の隠蔽量を少なくする位置を探索する。具体的には、メイン画面上の領域毎に配置の適合性を示すパラメータＲｐの算出を行い、パラメータＲｐが最小となる位置を探索する。適合性パラメータＲｐは、以下の算出式を計算することで求める。
【００９１】
Ｒｐ＝Ｄｐ×Ｉｐ
ここで、Ｄｐは、探索対象の領域から投影線までの距離であり、Ｉｐは、探索対象の領域に概略図を重ね合わせたときに隠れてしまう情報量を示している。距離の算出では、探索対象の領域の中心から投影線Ｌまでの距離を求めるようにしてもよい。
【００９２】
隠れてしまう情報量Ｉｐは、探索対象領域への電力取引に関する情報の配置数である。メイン画面上に配置される情報の位置は、ベクタデータ等によってメイン画面生成時に定まっているため、例えばベクタデータに含まれる各オブジェクトの位置情報と探索対象領域の座標範囲とを比較すればよい。
【００９３】
表示位置算出部１７は、投影線Ｌ及びその周辺を走査して順に探索対象領域を定め、Ｒｐを算出する。走査終了後、各Ｒｐから最小値を検索し、最小値に紐づけられている探索対象領域を配置位置として決定し、表示制御部１６に出力する。
【００９４】
尚、表示位置算出部１７は、最小範囲を決めておき、その範囲以上で探索対象領域を拡大又は縮小してＲｐを求めてもよい。尚、合成方法としてこの情報量Ｉｐを用いることもできる。即ち、情報量Ｉｐを透明度算出のパラメータとして用いて、隠される情報量Ｉｐが大きければ大きいほど概略図の透明度が高くなるようにしてもよい。
【００９５】
次に、合成画面の生成が終了すると、ステップＳ１１３にて、表示制御部１６は、一方の合成画面を表示部５に表示させ、ステップＳ１１４にて、表示制御部１６は、他方の合成画面を表示部６に表示させる。
【００９６】
具体例においては、表示制御部１６は、地図画面１４ａ上に棒グラフ概略図１５ｂを重ねた合成画像を表示部５に出力する。また、表示制御部１６は、棒グラフ画面１４ｂ上に地図概略図１５ａを重ねた合成画像を表示部６に出力する。
【００９７】
最後に、ステップＳ１１５にて、画面の表示処理を終了するかどうかの判定を行う。表示を終了する場合には、表示を終了して本処理を終了させ、表示を終了しない場合には、ステップＳ１０１に戻る。
【００９８】
以上のように、電力情報表示装置１は、データベース２に基づいて、電力取引の情報を第１の図式表現で視覚化した第１のメイン画面を生成し、また電力取引の情報を第２の図式表現で視覚化した第２のメイン画面を生成する。そして、データベース２が更新されると、第１のメイン画面の構造を模し、且つ情報更新によって生じた第１のメイン画面上の更新箇所に相当する位置を識別する識別標識を有する概略図を生成し、第２のメイン画面上に重ねて表示させる。さらに、第２のメイン画面の構造を模し、且つ情報更新によって生じた第２のメイン画面上の更新箇所に相当する位置を識別する識別標識を有する概略図を生成し、第１のメイン画面上に重ねて表示させてもよい。
【００９９】
これにより、複数のメイン画面に分かれた情報同士の対応関係を直感的に把握することができ、作業効率の向上を図ることができ、異常箇所の早期発見が可能となる。また、他のメイン画面の情報を参照したい場合に概略図により即座に対象情報を検出できるので、当該側面からも作業効率の向上に寄与し、異常箇所の早期発見が可能となる。
【０１００】
重ね合わせの際には、メイン画面上の更新箇所と前記概略図とを結ぶ線の描画等によって対応づけて重ね合わせを行うようにしてもよい。
【０１０１】
また、表示手段を複数配し、各種のメイン画面を分けて表示させる場合において、一対の表示手段に表示される両メイン画面上の変更箇所同士を結んだ線分を、表示手段のスクリーンへ投影して得られる、その投影線Ｌの近傍に概略図を重ねるようにしてもよい。
【０１０２】
この重ね合わせの位置の算出例としては、概略図の重ね合わせにより隠されるメイン画面の情報量と投影線Ｌからの距離とに基づき重ね合わせ位置を算出する。
【０１０３】
これにより、ユーザの視線移動を少なくでき、瞬時に情報同士の対応付けができるような視覚化を実現することができる。
【０１０４】
また、更新内容を要約した要約情報として、例えば変化方向を示す矢印１５２やその変化量を動きで表現するアニメーションを概略図上に付加してもよい。これにより、より的確に情報を把握することが可能となる。
【０１０５】
（重ね合わせタイミングの決定方法）
以下、概略図の重ね合わせのタイミングを決定する実施形態について説明する。重ね合わせのタイミングについては、情報の更新以外を判断要素に加える場合には、判断部１８により判断され、表示制御部１６は、算判断結果に従ったタイミングで概略図を重ね合わせる。
【０１０６】
判断部１８は、メイン画面上に存在する更新箇所が複数の場合、更新箇所に対応する概略図を複数表示させるように表示制御部１６を制御する。その表示タイミングは一つずつ交代で表示させるものであり、表示させる次の概略図は、直前に表示させた概略図に対応する更新箇所に隣接する更新箇所に対応する概略図であり、隣接順に一方向に交代で概略図を表示させていく。
【０１０７】
図１２に判断部１８による概略図の表示タイミングを示す。図１２の（ａ）は、情報の更新によってグラフが変動した棒グラフ画面１４ｂを示し、図１２の（ｂ）と（ｃ）と（ｄ）は、地図画面１４ａと棒グラフ概略図１５ａを重ね合わせて表示部５に表示された合成画面を示す。図１２の（ｂ）は、第１番目の合成画面であり、図１２の（ｃ）は、第２番目の合成画面であり、図１２の（ｄ）は、第３番目の合成画面である。
【０１０８】
図２に「０００００００２」のＩＤで識別された電力取引案件において、その取引電力量を減らす情報更新があると、この電力取引案件は、開始拠点を拠点エ、終了拠点を拠点アとし、送電線ＡとＢとＣを利用しているため、図１２に示すように、棒グラフ画面１４ｂの送電線ＡとＣの棒グラフ内の空容量のピストンが更新によって上に移動し、送電線Ｂの棒グラフ内の空容量のピストンが更新によって下に移動する。
【０１０９】
即ち、棒グラフ画面１４ｂの更新箇所は、３箇所である。小画面生成部１５は、この３箇所のそれぞれに対応した棒グラフ概略図１５ｂを生成する。小画面生成部１５は、送電線ＡとＣを識別させる各棒グラフ概略図１５ｂについては、一方に送電線Ａの棒グラフ上に下向きの矢印を付加し、他方に送電線Ｃの棒グラフ上に下向きの矢印を付加し、送電線Ｂを識別させる棒グラフ概略図１５ｂについては、送電線Ｂの棒グラフ上に上向きの矢印を付加する。
【０１１０】
判断部１８は、電力取引案件に関する情報のテーブル２ａを参照し、送電線の隣接順に従って、開始拠点から終了拠点までの送電線を順序づけ、順序づけた順でその送電線に対応する棒グラフ概略図１５ｂのアドレスを表示制御部１６に指示する。
【０１１１】
具体的には、「０００００００２」のＩＤで識別された電力取引案件では、判断部１８は、テーブル２ａの経由する送電線の項目から、順序づけを示す「Ｃ→Ｂ→Ａ」の情報を取得する。判断部１８は、この順序づけの情報から一番目の「Ｃ」なる送電線のＩＤを読み出し、送電線「Ｃ」を更新箇所として生成された棒グラフ概略図１５ｂの重ね合わせを表示制御部１６に指示する。表示制御部１６は、この第１番目に指示された棒グラフ概略図１５ｂを地図画面１４ａに重ね合わせて表示部５へ出力する。これにより、図１２の（ｂ）に示すように、表示部５には、更新箇所の一つである送電線Ａとその送電線Ａの棒グラフを識別表示した棒グラフ概略図１５ｂとが地図画面１４ａ上で対応づけられた合成画面が表示される。
【０１１２】
次に、判断部１８は、所定時間を電力情報表示装置１の内部時計又はタイムサーバを用いて計時する。所定時間が経過すると、判断部１８は、順序づけの情報から２番目の「Ｂ」なる送電線のＩＤを読み出し、送電線「Ｂ」を更新箇所として生成された棒グラフ概略図１５ｂの重ね合わせを表示制御部１６に指示する。表示制御部１６は、この第２番目に指示された棒グラフ概略図１５ｂを地図画面１４ａに重ね合わせて表示部５へ出力する。これにより、図１２の（ｃ）に示すように、表示部５には、更新箇所の一つである送電線Ｂとその送電線Ｂの棒グラフを識別表示した棒グラフ概略図１５ｂとが地図画面１４ａ上で対応づけられた合成画面が表示される。
【０１１３】
そして、判断部１８は、所定時間がさらに経過すると、順序づけの情報から３番目の「Ａ」なる送電線のＩＤを読み出し、送電線「Ａ」を更新箇所として生成された棒グラフ概略図１５ｂの重ね合わせを表示制御部１６に指示する。表示制御部１６は、この第３番目に指示された棒グラフ概略図１５ｂを地図画面１４ａに重ね合わせて表示部５へ出力する。これにより、図１２の（ｄ）に示すように、表示部５には、更新箇所の一つである送電線Ａとその送電線Ａの棒グラフを識別表示した棒グラフ概略図１５ｂとが地図画面１４ａ上で対応づけられた合成画面が表示される。
【０１１４】
尚、隣接順は、電力取引案件に関する情報のテーブル２ａから取得するようにしたが、そのほか、メイン画面のベクタデータ等の更新箇所の配置位置情報を含む情報を参照して、その配置位置が隣接する順に順序づけの情報を収集するようにしてもよい。
【０１１５】
また、複数の概略図を交代で表示する例を説明したが、同時に全ての概略図を位置のメイン画面上に重ね合わせるようにすることもできる。この場合、表示制御部１６は、判断部１８に指示された順に一の概略構成図を識別表示するようにしてもよい。例えば、判断部１８に指示された順に概略構成図の枠体をハイライト表示とする。
【０１１６】
概略図の重ね合わせのタイミングを決定する他の実施形態について説明する。この実施形態では、情報の更新内容から危険度情報を算出し、この危険度情報に応じて概略図をメイン画面に重ね合わせて表示する。
【０１１７】
即ち、この実施形態において判断部１８は、危険度情報を算出し、危険度情報が高い順に交代で概略図を重ね合わせるようにして合成画面を生成する。
【０１１８】
図１３に判断部１８による概略図の表示タイミングの他の例を示す。図１３の（ａ）は、更新内容が反映された棒グラフ画面１４ｂであり、図１３の（ｂ）と（ｃ）と（ｄ）は、地図画面１４ａと棒グラフ概略図１５ａを重ね合わせて表示部５に表示された合成画面を示す。図１３の（ｂ）は、第１番目の合成画面であり、図１３の（ｃ）は、第２番目の合成画面であり、図１３の（ｄ）は、第３番目の合成画面である。
【０１１９】
この棒グラフ画面１４ｂは、送電線「Ｃ→Ｂ→Ａ」を経る電力取引によって更新された各送電線Ａ，Ｂ，Ｃの総取引電力量と空容量の積み上げ棒グラフを示している。この棒グラフ画面１４ｂに示すように、送電線Ｂの順方向の空容量Ｖが僅かとなっており、逆方向の総取引電力量が減少してしまうと空容量がなくなってしまう可能性がある。
【０１２０】
判断部１８は、この空容量の危険度情報を算出し、危険度情報に応じて概略図の表示を制御する。判断部１８は、以下の計算式で危険度情報Ｄａ，Ｄｂ、Ｄｃ，・・・を算出する。尚、危険度情報Ｄａは、送電線Ａの空容量に対する危険度を示す情報であり、危険度情報Ｄｂは、送電線Ｂの空容量に対する危険度を示す情報であり、危険度情報Ｄｃは、送電線Ｃの空容量に対する危険度を示す情報である。
【０１２１】
Ｄａ＝Ｋａ／Ｐａ
Ｄｂ＝Ｋｂ／Ｐｂ
Ｄｃ＝Ｋｃ／Ｐｃ
ここで、Ｐａ，Ｐｂ，Ｐｃは、それぞれ送電線Ａ，Ｂ，Ｃの空容量である。送電線Ａで影響を受けるのは逆方向の空容量、送電線Ｂで影響を受けるのは順方向の空容量、送電線Ｃで影響を受けるのは逆方向の空容量である。また、Ｋａ，Ｋｂ，Ｋｃはそれぞれ送電線Ａ，Ｂ，Ｃにおいて危険度を算出する際の重み係数である。例えば、Ｋａ，Ｋｂ，Ｋｃをそれぞれの送電線における最大送電可能量に設定する。この場合、即ち、危険度情報は、最大送電可能量に対する空容量の割合である。
【０１２２】
判断部１８は、全ての空容量の危険度情報を算出すると、空容量の危険度情報が高い順に、その送電線の更新箇所を案内する概略図を表示させる指示を表示制御部１６に出力する。
【０１２３】
具体的には、Ｄｂ＞Ｄｃ＞Ｄａであれば、判断部１８は、図１２（ｂ）に示すように、一番高い危険度情報Ｄｂに紐づけられた「Ｂ」なる送電線のＩＤを読み出し、送電線「Ｂ」を更新箇所として生成された棒グラフ概略図１５ｂの重ね合わせを表示制御部１６に指示する。次に、判断部１８は、内部時計やタイムサーバの掲示する時間を参照した所定時間の経過後に、図１２（ｃ）に示すように、二番高い危険度情報Ｄｃに紐づけられた「Ｃ」なる送電線のＩＤを読み出し、送電線「Ｃ」を更新箇所として生成された棒グラフ概略図１５ｂの重ね合わせを表示制御部１６に指示する。そして、図１２（ｄ）に示すように、最も低い危険度情報Ｄａに紐づけられた「Ａ」なる送電線のＩＤを読み出し、送電線「Ａ」を更新箇所として生成された棒グラフ概略図１５ｂの重ね合わせを表示制御部１６に指示する。
【０１２４】
尚、全ての更新箇所に対する概略図を同時に表示するようにしてもよく、危険度情報が高い順に概略図をハイライト表示させるようにしてもよい。
【０１２５】
また、予め記憶している規定値と危険度とを比較し、比較の結果、危険度情報が示す値が規定値を超えていれば、更新内容を反映したメイン画面上の更新箇所を識別する概略図を表示させるようにすることもできる。判断部１８は、各更新箇所に対して危険度情報を算出し、規定値を上回った危険度情報に対する更新箇所を識別表示する概略図の表示を表示制御部１６に指示する。
【０１２６】
このように、複数の変更箇所のそれぞれに対して概略図が生成される場合、各概略図を交代させてメイン画面上に重ね合わせるようにしてもよい。このケースにおいて、各変更箇所が示す情報に対する危険度情報を算出し、危険度情報が高い順に各概略図を交代させてもよい。これにより、ユーザに注目して欲しい順番に概略図を表示でき、重要な情報をより明確に把握できるようになる。
【０１２７】
また、各変更箇所が隣接する順に対応する概略図を交代させてメイン画面上に重ね合わせるようにしてもよい。また、交代で表示させる他、全ての概略図を同時に表示させるが、各変更箇所が示す情報に対する危険度情報を算出し、危険度情報が高い順に各概略図を交代でハイライト表示させてもよい。また、危険度を算出するほか、変更箇所が隣接する順に対応する概略図を交代させてハイライト表示させて全概略図を同時にメイン画面上に重ね合わせてもよい。
【０１２８】
また、概略図の重ね合わせのタイミングとしては、更新に基づいて危険度情報を算出して、危険度情報が所定値以上であるときに重ね合わせを行うことができる。これにより、ユーザに注目して欲しいタイミングで概略図を表示できるので、重要な情報をより明確に把握できる。
【０１２９】
（重ね合わせ位置算出の変形例）
以上のような、電力情報制御装置１において、図１４に、表示手段の他の配置例を示す。図１４に示すように、電力情報表示装置１は、壁掛け大画面の表示部５及び卓上ディスプレイの表示部６に加えて、卓上ディスプレイの表示部７を備える。
【０１３０】
この電力表示装置１は、表示部５、６、及び７のそれぞれにメイン画面と概略図を重ねた合成画面を表示する。即ち、画面生成部１４と小画面生成部１５は、それぞれ３種の図を生成する。例えば、表示部５向けに地図画面１４ａ、表示部６と７向けに棒グラフ画面１４ｂを生成する。表示部６と７向けの棒グラフ画面１４ｂは、例えば、グラフ化されている送電線が異なる。つまり、表示部６を監視するユーザと表示部７を監視するユーザとは、送電線の監視範囲が異なる。
【０１３１】
この場合、表示制御部１６は、表示部５と６、表示部５と７とをそれぞれペアとして重ね合わせを行う。例えば、表示部５の地図画面１４ａには、表示部６の棒グラフ画面１４ｂに対応する棒グラフ概略図１５ｂと、表示部７の棒グラフ画面１４ｂに対応する棒グラフ概略図１５ｂとを重ね合わせる。また、表示部６の棒グラフ画面１４ｂには、表示部５の地図概略図１５ａを重ね合わせる。表示部７の棒グラフ画面１４ｂには、表示部５の地図概略図１５ａを重ね合わせる。
【０１３２】
この例において、表示制御部１６は、表示位置算出部１７に従い、先の実施形態と同様に、表示部５と６に表示されるメイン画面上の変更箇所Ｃ１とＣ２同士を結んだ線分を表示部５のスクリーンへ投影した投影線Ｌ１の近傍に概略図を重ねる。また、表示部５と７に表示されるメイン画面上の変更箇所Ｃ３とＣ４同士を結んだ線分を表示部５のスクリーンへ投影した投影線Ｌ２の近傍に概略図を重ねる。更に、表示部５と６に表示されるメイン画面上の変更箇所Ｃ１とＣ２同士を結んだ線分を表示部６のスクリーンへ投影した投影線Ｌ１の近傍に概略図を重ねる。また、表示部５と７に表示されるメイン画面上の変更箇所Ｃ３とＣ４同士を結んだ線分を表示部７のスクリーンへ投影した投影線Ｌ２の近傍に概略図を重ねる。
【０１３３】
このとき、表示制御部１６は、表示部５のスクリーンに同時に表示される複数の概略図を識別表示する。識別表示は、概略図の枠体の枠色、又はユーザの識別情報Ｐ１，Ｐ２である。概略図の枠色は、対となる概略図を同色とする。ユーザの識別情報は、ユーザの名前や画像やユーザ特有のアイコンであり、表示制御部１６は、予めユーザの識別情報を記憶しておき、ログイン情報と紐づけておく。
【０１３４】
また、電力情報表示装置１は、表示手段として表示部５のみを有し、複数のメイン画面を切り替えて表示するようにしてもよい。このケースの概略図の重ね合わせ位置の決定方法について説明する。
【０１３５】
図１５に示すように、表示制御部１６は、切替制御部１６１を有する。切替制御部１６１は、表示するメイン画面の切り替えを制御する。表示制御部１６は、切替制御部１６１に従って、複数の合成画面を交代で表示部５に出力する。切り替えのタイミングは、所定時間毎又はボタン操作のタイミングである。ボタンは、キーボード、画面上のアイコン、又はアイコン化した概略図に割り当てられる。
【０１３６】
切替制御部１６１は、所定時間を示す値を予め記憶している。切替制御部１６１は、電力情報表示装置１の内部時計又はネットワーク上のタイムサーバが計時する時刻を参照し、１０秒等の所定時間が経過すると、表示制御部１６に対して、次に表示させる合成画面が存在するＶＲＡＭ上のアドレスを指示する。切替制御部１６１は、この表示制御部１６に送るアドレスを所定時間の経過毎に切り替える。表示制御部１６は、指示されたアドレスに存在する合成画面のデータを次にアドレスの指示が発生するまで表示部５に出力し続ける。
【０１３７】
また、切替制御部１６１は、キーボード上のボタン押下、又は画面上のボタン押下を示すマウスイベントによって画面の切り替えを要求する信号が入力されると、表示制御部１６に対して、次に表示させる合成画面が存在するＶＲＡＭ上のアドレスを指示する。
【０１３８】
この例において、表示位置算出部１７による概略図の重ね合わせ位置の決定方法を示す概念図を図１６に示す。
【０１３９】
図１６に示すように、表示位置算出部１７は、切り替え後に表示されるメイン画面Ｇ２上の情報の更新箇所の近傍Ｎと、切り替え前に表示されるメイン画面Ｇ１上の概略図Ｏの重ね合わせの位置とが、表示部５のスクリーン上において同一箇所となるように、切り替え前のメイン画面Ｇ１への概略図Ｏの重ね合わせ位置を指示する。
【０１４０】
この表示位置算出部１７の制御処理においては、まず重ね合わせ位置の探索を行い、その探索結果に応じた重ね合わせ位置の情報を表示制御部１６に出力する。表示制御部１６は、入力された重ね合わせ位置の情報に該当する位置に概略図Ｏを重ね合わせた合成画像を生成する。
【０１４１】
具体的には、表示位置算出部１７は、更新された情報の反映箇所を特定する。例えば、切り替え後に表示されるメイン画面Ｇ２の更新箇所をメイン画面のベクタデータと、更新内容算出部１３が算出した変化した情報の所属及び種類とを参照して特定する。
【０１４２】
そして、表示位置算出部１７は、この更新箇所の近傍Ｎであって概略図Ｏを重ねたときにメイン画面Ｇ１に表示されている情報の隠蔽量を少なくする位置を探索する。この探索において、表示位置算出部１７は、メイン画面Ｇ１上の領域毎に配置の適合性を示すパラメータＲｐの算出を行い、パラメータＲｐが最小となる位置を探索する。
【０１４３】
適合性パラメータＲｐの算出式は、先の例と同様であり、Ｒｐ＝Ｄｐ×Ｉｐである。つまり、表示位置算出部１７は、探索対象の領域から更新箇所までの距離と探索対象の領域に概略図Ｏを重ね合わせたときに隠れてしまう情報量との積が最小となる位置を探索する。
【０１４４】
表示位置算出部１７は、更新箇所及びその周辺を走査して順に探索対象領域を定め、Ｒｐを算出する。走査終了後、各Ｒｐから最小値を検索し、最小値に紐づけられている探索対象領域を配置位置として決定し、表示制御部１６に出力する。
【０１４５】
このように、メイン画面を切り替えて表示手段に表示させるようにしてもよく、このケースにおいて、切り替え後に表示されるメイン画面上の更新箇所に相当する相当位置の近傍に、概略図を重ね合わせるようにしてもよい。例えば、概略図の重ね合わせにより隠される情報量と相当位置からの距離とに基づき重ね合わせ位置を算出する。
【０１４６】
これにより、よりユーザの視線移動を少なくし、瞬時に情報同士の対応付けができるような視覚化を実現することができる。
【０１４７】
（メイン画面の変形例１）
本実施形態では、電力情報表示装置１が、電力会社の電力取引を表示部５，６に表示するケースを例に説明したが、この態様に限らず、各種の電力取引について画面を表示することもできる。例えば、次世代送電網（スマートグリッド）における電力取引の視覚化に際しても、概略図のポップアップ表示を有効に用いることができる。次世代送電網とは、太陽光発電などを含む大小様々な発電設備から家電や電気自動車を含む末端の電力機器までを接続した送電網であり、より効率的かつ計画的な電力取引の管理を行うことによって、地球規模で無駄なくエネルギーを運用していく必要が出てきている。
【０１４８】
即ち、電力情報表示装置１は、図１７に示す地域の位置関係を視覚化した関係図画面１４ｃと、図１８に示す拠点毎のある時間の電力量を視覚化した棒グラフ画面１４ｄとを表示し、図１８に示す棒グラフ画面１４ｄ上に関係図画面１４ｃの関係概略図１５ｃを重ね合わせて表示するようにしてもよい。
【０１４９】
図１７に示す拠点キの家庭において太陽光発電した電力を拠点クのビルに提供するようなケースを想定する。このケースでは、画面生成部１４は、拠点キから拠点クとの間の関係線上に拠点キに向けた矢印を付加することで、送電方向を示した関係図画面１４ｃのメイン画面を生成する。
【０１５０】
また、画面生成部１４は、図１８に示す拠点キの電力量が減少し、拠点クの電力量が増加したアニメーションを付加した各拠点の電力量を示す棒グラフ画面１４ｄを生成する。
【０１５１】
小画面生成部１５は、関係図画面１４ｃの構造を模し、拠点キと拠点クとの関係線を識別させ、かつ送電方向の更新内容を矢印で示した関係概略図１５ｃを生成する。
【０１５２】
表示制御部１６は、この関係概略図１５ｃを棒グラフ画面１４ｄのメイン画面に重ねて表示させる。表示制御部１６は、情報更新部１１により更新された情報が反映された拠点キと拠点クの各棒グラフと、関係概略図１５ｃとの間にそれぞれ線を描画することにより概略図と更新箇所とを対応づける。
【０１５３】
（メイン画面の変形例２）
また、例えば、送電線間での送電量の比較と送電量の時間変化を把握する際にも電力情報表示装置１は有効である。
【０１５４】
即ち、電力情報表示装置１は、図１９に示す送電線間での送電量の比較を行うために各送電線における送電量を棒グラフで表示した棒グラフ画面１４ｅと、図２０に示す送電線での時間変化を把握するために送電線の時間変化に応じた送電量の変化を折れ線グラフ画面１４ｆを表示し、図２０に示す折れ線グラフ画面１４ｆ上に棒グラフ画面１４ｅの関係概略図１５ｅを重ね合わせて表示するようにしてもよい。
【０１５５】
図１９に示す送電線Ａにおいて送電量が増加したケースを想定する。このケースでは、画面生成部１４は、送電線Ａの棒グラフの増加分に相当する箇所の表色を変更した棒グラフ画面１４ｅのメイン画面を生成する。
【０１５６】
また、画面生成部１４は、図２０に送電線Ａの時間毎の送電量を示した折れ線グラフ画面１４ｆのメイン画面を生成する。
【０１５７】
小画面生成部１５は、棒グラフ画面１４ｅの構造を模し、送電線Ａを識別させ、かつ送電量の増加を示す上向きの矢印を付加した関係概略図１５ｅを生成する。
【０１５８】
表示制御部１６は、この関係概略図１５ｅを折れ線グラフ画面１４ｆのメイン画面に重ねて表示させる。表示制御部１６は、情報更新部１１により更新された情報が示す送電量の増加が発生した時間帯の送電量と、関係概略図１５ｅとの間にそれぞれ線を描画することにより概略図と更新箇所とを対応づける。
【０１５９】
以上のように、電力情報表示装置１は、地図とグラフをメイン画面する場合に限らず、例えば関係図と棒グラフや棒グラフと折れ線グラフのように、情報の特性をそれぞれの側面からフォーカスした各種の図が複数作成することができ、それぞれの概略図を生成し、合成することができる。例えば、３つ以上のメイン画面を同様に扱うこともできる。また、送電網を示した地図と航空写真を表示した地図、２次元グラフと３次元グラフ、表とグラフなどといった組み合わせでの対応関係の視覚化にも応用することができる。
【０１６０】
また、以上のように、本発明のいくつかの実施形態を説明したが、これらの実施形態は、例として提示したものであり、発明の範囲を限定することを意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６１】
１  電力情報表示装置
２  データベース
２ａ  テーブル
２ｂ  テーブル
３  操作卓
４  情報処理装置
５  表示部
６  表示部
７  表示部
１１  情報更新部
１２  情報取得部
１３  更新内容算出部
１４  画面生成部
１４ａ  地図画面
１４ｂ  棒グラフ画面
１４ｃ  関係図画面
１４ｄ  棒グラフ画面
１４ｅ  棒グラフ画面
１４ｆ  折れ線グラフ画面
１４１  アニメーション画像
１４２  アニメーション画像
１５  小画面生成部
１５ａ  地図概略図
１５ｂ  棒グラフ概略図
１５ｃ  関係概略図
１５ｅ  関係概略図
１５１  太線
１５２  矢印
１６  表示制御部
１６１  切替制御部
１７  表示位置算出部
１８  判断部
【図１】
0005509015.tif 000002
【図２】
0005509015.tif 000003
【図３】
0005509015.tif 000004
【図４】
0005509015.tif 000005
【図５】
0005509015.tif 000006
【図６】
0005509015.tif 000007
【図７】
0005509015.tif 000008
【図８】
0005509015.tif 000009
【図９】
0005509015.tif 000010
【図１０】
0005509015.tif 000011
【図１１】
0005509015.tif 000012
【図１２】
0005509015.tif 000013
【図１３】
0005509015.tif 000014
【図１４】
0005509015.tif 000015
【図１５】
0005509015.tif 000016
【図１６】
0005509015.tif 000017
【図１７】
0005509015.tif 000018
【図１８】
0005509015.tif 000019
【図１９】
0005509015.tif 000020
【図２０】
0005509015.tif 000021